(57)【要約】【課題】  椅子に特別な用具を取り付けることなく、バックなどの手荷物を綺麗に、しかも安全に収納して無理なく腰掛けることが可能で、尚かつ椅子そのものの収納時や運搬時の事を配慮した、スタイリッシュな収納部付きスタッキングチェアを提供する。【解決手段】  座部と背もたれ部を有する椅子において、前記座部の下部に堅固な状態を維持したままで回転を許容または阻止することができ、また自動巻き戻り機能を兼ね備えた回転規制装置を有すロールスクリーンを設けた、収納部付きスタッキングチェアである。【選択図】図２
2010069259.tif 000002
【特許請求の範囲】
【請求項１】
座部と背もたれ部を有する椅子において、前記座部の下部に堅固な状態を維持したままで回転を許容または阻止することができ、また自動巻き戻り機能を兼ね備えた回転規制装置を有すロールスクリーンを設けた、収納部付きスタッキングチェアである。
【発明の詳細な説明】
【技術分野】
【０００１】  本発明は、収納部付きスタッキングチェアに関するものであり、より詳細には、椅子の使用者がバックなどの手荷物を一時的に置く必要が生じる事の多いカフェテラスやレストランや講演会や会議室などにおいて、好適に用いられる、収納部付きスタッキングチェアに関するものである。
【背景技術】
【０００２】  例えば、カフェテラスやレストランや講演会や会議室などで使用される一般的な椅子は、バックなどの手荷物を収納する機能を欠いている。【０００３】  そのため、カフェテラスやレストランや講演会において、バックなどの手荷物を自分の横の座席に置いたりする事があるが満席時の場合、自分の席の背もたれ部に引っ掛けたり、バックの大きさや形によっては、地面に直接置く事さえある。又はやむなく自分の席の背もたれと腰との間に置くという行為を頻繁に目にする。背もたれと腰との間に手荷物を置く場合、使用者は、多少浅く椅子に腰掛けなければならず、背もたれを使用出来ずに非常に窮屈な姿勢を強いられる。【０００４】  カフェテラスやレストランや講演会など、不特定の人の出入りする公衆の場では、置き引き、といった窃盗事件が発生しないとも限らない。上述のように、手荷物を自分の横の席に置いたりする事や地面に直接置く場合などは手荷物が盗難に合う可能性があり、無防備である。【０００５】  一方、カフェテラスで使用されている椅子や講演会や会議室で使用されている椅子は頻繁に椅子を移動させる事が多い事や、空間を多目的に使用するため、運搬時や収納時の事を配慮し、スタッキングチェアを使用する事が、大半である。【０００６】  ここで、特許文献１は、収納部付き椅子を開示する。この収納部付き椅子は、略水平に設けられた座部と、前記座部に対して略垂直に設けられた背もたれ部と、前記背もたれ部の下方で且つ前記座部の前記背もたれ部側に設けられた収納部と、前記座部から前記背もたれ部へと至る方向に対し直行する方向における前記収納部の側部を覆う遮蔽部を有する事を利用して手荷物を収納可能にしている。【０００７】  この先行技術によれば、椅子の使用者はバックなどの手荷物を自分の席の略水平に設けられた座部と、前記座部に対して略垂直に設けられた背もたれ部と、前記背もたれ部の下方で且つ前記座部の前記背もたれ部側に設けられた収納部に納める事が出来るが、その構造が齎すフォルムは椅子の外観として好ましくない。又機能を重視する為、椅子の使用部材が増える事から、椅子の重量が増し、運搬に対しての配慮がされていないほか、収納時に対するスタッキングが不可能である。そして、収納部の内部を外部から見る事が出来ない為、置き忘れを誘発する恐れが危惧される。
【特許文献１】実願２００５−４２７５
【発明の開示】
【発明が解決しようとする課題】
【０００８】  従って、本発明の目的は、椅子に特別な用具を取り付けることなく、バックなどの手荷物を綺麗に、しかも安全に収納して無理なく腰掛けることが可能で、尚かつ椅子そのものの収納時や運搬時の事を配慮した、スタイリッシュな収納部付きスタッキングチェアである。
【課題を解決するための手段】
【０００９】  座部と背もたれ部を有する椅子において、前記座部の下部に堅固な状態を維持したままで回転を許容または阻止することができ、また自動巻き戻り機能を兼ね備えた回転規制装置を有すロールスクリーンを設けた、収納部付きスタッキングチェアである。【００１０】  収納部は座面下部の回転規制装置を有するロールスクリーンにより堅固な状態を維持したままで回転を許容または阻止することができ、また自動巻き戻り機能を兼ね備えた回転規制装置を有するロールスクリーンにより巻き取られる。【００１１】  また、収納部はスクリーン生地を引き出すことにより、背もたれ部直下に形成され、椅子を側面から臨むと後脚部と交わる位置に形成される。
【発明の効果】
【００１２】  本発明は、以下の効果を奏する。【００１３】（１）背もたれ部の正面側に張り出し部が生じないので、座り心地が損なわれることがない。【００１４】（２）収納部を形成するスクリーン生地を巻き取りることにより、スタッキングが可能である。【００１５】（３）収納口は正面側が開口しているので、収納物の出し入れが行いやすい。【００１６】（４）収納口に収まる荷物であれば、収納部を形成するスクリーン生地を荷物に大きさに合わせ引き出すことが可能な為、形やサイズを問わず収納が可能である。【００１７】（５）収納部は背もたれ部直下に形成され、椅子を側面から臨むと後脚部と交わる位置に形成される為、後脚部が側面からの盗難を防止するとともに外部からの視界を確保し、置き忘れを防止する。【００１８】（６）収納部を形成するスクリーン生地やロールスクリーンが軽量である事とフレーム構造を有する本発明は軽量なため、手軽に運搬する事が可能である。
【発明を実施するための最良の形態】
【００１９】  以下、本発明の実施の形態を図面に示す実施例に基づき説明する。
【実施例１】
【００２０】  図１〜図５は、本発明に係る収納部付きスタッキングチェアの一実施例である。本実施例の収納部付きスタッキングチェアは、座部（３）と背もたれ部（２）と前脚部（１１ａ）と後脚部（１１ｂ）を有し、背もたれ部（２）の下方に且つ座部（３）との間で背もたれ部フレーム（１０１）の枠内が収納口（４）となる。【００２１】  背もたれ部フレーム（１０１）と座部フレーム（１０２）を有するフレーム（１）に取り付けられた座部（３）の下部には収納部（５）を形成するスクリーン生地（７）を出し入れするための回転規制装置を有するロールスクリーン（６）が設けられている。【００２２】  回転規制装置を有するロールスクリーン（６）はフレーム（１）に有される座部フレーム（１０２）に支持されている。【００２３】  収納部（５）を形成するスクリーン生地（７）は一方の端を回転規制装置を有するロールスクリーン（６）に取り付けられていて、もう一方の端はスクリーン生地ガイド（１０ａ）（１０ｂ）の間を通り、背もたれ部張地（９）を取り付ける為に設けられた背もたれ部張地用フレーム（８）に背もたれ部張地（９）とともに取り付けられている。【００２４】  スクリーン生地（７）の長さは最も引き出した場合において地面に接触しない長さとする。【００２５】  本発明は以上の構成によりなる。【００２６】  本発明を使用する時は、収納部付きスタッキングチェアの収納部未使用時におけるスタッキング可能な状態状態において、収納口（４）に手荷物などを収納する際、スクリーン生地（７）に圧力が加わり、回転規制装置を有するロールスクリーン（６）に巻き取られているスクリーン生地（７）が引き出され、収納部（５）を形成する。【００２７】  このように、スクリーン生地（７）は収納部（５）を背もたれ部（２）より下方、座部（３）よりも下方に形成するため、使用者が腰を掛ける際にも、手荷物はスクリーン生地（７）により形成された収納部（５）に収まっており、窮屈にならずに背もたれ部（２）を使用する事ができる。【００２８】  スクリーン生地（７）は手荷物などを取り出した後も、回転規制装置を有するロールスクリーン（６）により堅固な収納部（５）を形成したままで阻止しているため、他の使用者は、収納部（５）を形成した状態で使用する事が可能である。【００２９】  スクリーン生地（７）を収納する際はスクリーン生地（７）に下方に力を入れると回転規制装置を有するロールスクリーン（６）の回転制御が解除され、スクリーン生地（７）を自動で巻き上げ、収納部付きスタッキングチェアの収納部未使用時におけるスタッキング可能な状態状態となる。
【実施例２】
【００３０】  尚、本発明は次のようにもできる。【００３１】  スクリーン生地（７）の素材は耐久性を有し回転規制装置を有するロールスクリーン（６）に巻き取れる事が可能な素材であれば使用素材は限定しない。【００３２】  背もたれ部張地（９）は使用素材を限定しない、又は背もたれ部張地（９）を省くこともできる。
尚、座り心地を損なうことなく背もたれ部（２）付近にスクリーン生地（７）の一方の端を取り付けることが可能な部材に変更すれば、背もたれ部張地用フレーム（８）も省く事ができる。【００３３】  スクリーン生地ガイド（１１ａ）（１１ｂ）はスクリーン生地（７）との摩擦を軽減するため、スクリーン生地（７）の動きに合わせて回転する、ローラー機構にする事も可能である。【００３４】本発明は、座部と背もたれ部を有する各種の椅子に適用可能である。
【図面の簡単な説明】
【００３５】
【図１】本発明に係る収納部付きスタッキングチェアの収納部使用時の外観斜視図である。
【図２】図１中に示すＡ−Ａ線断面図である。
【図３】収納部付きスタッキングチェアの収納部未使用時におけるスタッキング時の外観斜視図である。
【図４】図３中に示す収納部付きスタッキングチェアの収納部未使用時におけるＢ−Ｂ線断面図である。
【図５】図４中に示すＢ−Ｂ線断面図における、部分詳細図である。
【符号の説明】
【００３６】１フレーム
２背もたれ部
３座部
４収納口
５収納部
６回転規制装置を有するロールスクリーン
７スクリーン生地
８背もたれ部張地用フレーム
９背もたれ部張地
１０ａスクリーン生地ガイド
１０ｂスクリーン生地ガイド
１１ａ前脚部
１１ｂ後脚部
１０１背もたれ部フレーム
１０２座部フレーム
【図１】
2010069259.tif 000003
【図２】
2010069259.tif 000004
【図３】
2010069259.tif 000005
【図４】
2010069259.tif 000006
【図５】
2010069259.tif 000007